(57)【要約】【課題】情報提供者及びユーザの双方にとって利便性の高い、位置情報を用いた情報提供システムを提供する。【解決手段】本情報提供装置は、１つのアイテムに対して、アイテムに関連する第１の位置情報を示す第１のスポット情報と、アイテムに関連する第２の位置情報を示す第２のスポット情報とを、アイテムに関連付けて記憶する記憶部と、端末装置から受信した端末装置の位置情報と、第１のスポット情報とが、所定の関係を満たすか否かを判断し、所定の関係を満たす場合には、端末装置にアイテムに関連する情報を通知する通知部と、を備え、通知部は、さらに、端末装置から受信した端末装置の位置情報と、第２のスポット情報とが、所定の関係を満たすか否かを判断し、所定の関係を満たす場合には、端末装置にアイテムに関連する情報を通知する。【選択図】図４
2014157420.tif 000002
【特許請求の範囲】
【請求項１】
１つのアイテムに対して、前記アイテムに関連する第１の位置情報を示す第１のスポット情報と、前記アイテムに関連する第２の位置情報を示す第２のスポット情報とを、前記アイテムに関連付けて記憶する記憶部と、
端末装置から受信した前記端末装置の位置情報と、前記第１のスポット情報とが、所定の関係を満たすか否かを判断し、所定の関係を満たす場合には、前記端末装置に前記アイテムに関連する情報を通知する通知部と、
を備え、
前記通知部は、さらに、前記位置情報と、前記第２のスポット情報とが、所定の関係を満たすか否かを判断し、所定の関係を満たす場合には、前記端末装置に前記アイテムに関連する情報を通知することを特徴とする情報提供装置。
【請求項２】
アイテムを記憶するアイテム記憶部であって、前記アイテムは、当該アイテムに関連する一又は複数の位置情報を示すスポット情報を含む、アイテム記憶部と、
前記アイテム記憶部に記憶されたアイテムの中から、ユーザがお気に入りとして登録したアイテムを記憶するお気に入りリストと、
端末装置から受信した前記端末装置の位置情報に基づいて前記お気に入りリストを検索し、前記端末装置を保有するユーザがお気に入りとして登録したアイテムであり、かつ、前記位置情報とアイテムに含まれるスポット情報のうちの少なくとも１つとが所定の関係を満たすアイテムが存在する場合に、当該アイテムに関連する情報を前記端末装置に通知する通知部と、
を備える情報提供装置。
【請求項３】
情報提供装置における情報の提供方法であって、
１つのアイテムに対して、前記アイテムに関連する第１の位置情報を示す第１のスポット情報と、前記アイテムに関連する第２の位置情報を示す第２のスポット情報とを、前記アイテムに関連付けて記憶する記憶ステップと、
端末装置から受信した前記端末装置の位置情報と、前記第１のスポット情報とが、所定の関係を満たすか否かを判断し、所定の関係を満たす場合には、前記端末装置に前記アイテムに関連する情報を通知する通知ステップと、
を備え、
前記通知ステップは、さらに、前記位置情報と、前記第２のスポット情報とが、所定の関係を満たすか否かを判断し、所定の関係を満たす場合には、前記端末装置に前記アイテムに関連する情報を通知することを特徴とする情報提供方法。
【請求項４】
情報提供装置における情報の提供方法であって、
アイテムを記憶する第１の記憶ステップであって、前記アイテムは、当該アイテムに関連する一又は複数の位置情報を示すスポット情報を含む、第１の記憶ステップと、
前記記憶されたアイテムの中から、ユーザがお気に入りとして登録したアイテムをお気に入りリストに記憶する第２の記憶ステップと、
端末装置から受信した前記端末装置の位置情報に基づいて前記お気に入りリストを検索し、前記端末装置を保有するユーザがお気に入りとして登録したアイテムであり、かつ、前記位置情報とアイテムに含まれるスポット情報のうちの少なくとも１つとが所定の関係を満たすアイテムが存在する場合に、当該アイテムに関連する情報を前記端末装置に通知する通知ステップと、
を備える情報提供方法。
【請求項５】
請求項３又は４に記載の情報提供方法をコンピュータに実行させるためのプログラム。
【請求項６】
請求項５に記載のプログラムを記録したコンピュータ読み取り可能な記録媒体。
【発明の詳細な説明】
【技術分野】
【０００１】
本発明は、情報提供装置及び情報提供方法に関する。特に、位置情報に基づいてユーザが保有する端末装置に対して情報を提供する技術に関する。
【背景技術】
【０００２】
近年、ＧＰＳ機能を備えた携帯電話機などの普及により、ユーザの位置情報を利用してリアルな場所に基づいて情報を提供するサービスが行われている。例えば、特許文献１には、店舗で実施するイベントの告知情報を、当該店舗の周辺のエリアに移動したことがあるユーザに配信することが記載されている。特許文献１に記載の情報提供システムによれば、ＧＰＳ機能を備えた携帯端末が定期的に出力する位置情報を取得してユーザ毎に蓄積しておき、店舗の店舗端末から、その店舗で実施されるイベントの告知を求める配信リクエストを受け付けると、各ユーザにつき蓄積されている位置情報群を分析し、リクエストを出した店舗の周辺のエリアに移動したことがあるユーザの中から配信対象者を選択し、配信対象者に配信リクエストに基づく告知情報を配信することができる。
【先行技術文献】
【特許文献】
【０００３】
【特許文献１】特開２０１２−１９０３５２号公報
【発明の概要】
【発明が解決しようとする課題】
【０００４】
しかしながら、特許文献１では、情報提供者（店舗側）が店舗の情報を登録する際に、店舗の場所に関する情報を、各店舗に対して１つだけ登録することが可能となっている。そのため、店舗がチェーン展開している場合には、それぞれのチェーン店ごとに店舗の場所に関する情報を登録する必要がある。例えば、あるコーヒーショップが渋谷・新宿・銀座の３箇所にチェーン展開している場合には、渋谷店の情報、新宿店の情報、及び銀座店の情報というように、情報提供者は３つの店舗に関する情報を個別にシステムに登録する必要があり、情報提供者にとって利便性に欠けるものである。
【０００５】
また、特許文献１では、ユーザ毎に蓄積されている位置情報に基づいて告知情報が配信されるため、告知情報の受け手であるユーザは、自分の興味の有無に関わらず告知情報を受け取ることになり、やはり利便性に欠ける。また、特許文献１では、ユーザの滞在頻度や滞在時間に基づいて告知情報を配信する。そのため、例えば、ユーザが上記コーヒーチェーンの渋谷店の常連であれば、ユーザは渋谷店のイベントに関する告知情報を受け取ることができる。しかしながら、当該ユーザが新宿や銀座にあまり行かない場合には、新宿店や銀座店のイベントに関する告知情報を受け取ることはできない。しかし、一般論として、ユーザは、渋谷店ではなく、上記コーヒーチェーンに興味があるのであるから、新宿や銀座にいる場合であっても、上記コーヒーチェーンの情報が配信された方が、ユーザにとって利便性が高い。
【０００６】
このように、従来の位置情報を利用してリアルな場所に基づいて情報を提供するサービスでは、店舗に関する情報が個別に扱われるため、情報提供者及びユーザの双方にとって利便性に欠けるものである。
【０００７】
本発明は、かかる実情に鑑み、情報提供者及びユーザの双方にとって利便性の高い、位置情報を用いた情報提供装置を提供しようとするものである。
【課題を解決するための手段】
【０００８】
本発明に係る幾つかの態様は、１つのアイテムに対して、アイテムに関連する第１の位置情報を示す第１のスポット情報と、アイテムに関連する第２の位置情報を示す第２のスポット情報とを、アイテムに関連付けて記憶する記憶部と、端末装置から受信した端末装置の位置情報と、第１のスポット情報とが、所定の関係を満たすか否かを判断し、所定の関係を満たす場合には、端末装置にアイテムに関連する情報を通知する通知部と、を備え、通知部は、さらに、端末装置から受信した端末装置の位置情報と、第２のスポット情報とが、所定の関係を満たすか否かを判断し、所定の関係を満たす場合には、端末装置にアイテムに関連する情報を通知することを特徴とする情報提供装置である。
【０００９】
本発明に係る他の幾つかの態様は、アイテムを記憶する記憶部であって、アイテムは、当該アイテムに関連する一又は複数の位置情報を示すスポット情報を含む、アイテム記憶部と、記憶部に記憶されたアイテムの中から、ユーザがお気に入りとして登録したアイテムを記憶するお気に入りリストと、端末装置から受信した端末装置の位置情報に基づいてお気に入りリストを検索し、端末装置を保有するユーザがお気に入りとして登録したアイテムであり、かつ、位置情報とアイテムに含まれるスポット情報のうちの少なくとも１つとが所定の関係を満たすアイテムが存在する場合に、当該アイテムに関連する情報を端末装置に通知する通知部と、を備える情報提供装置である。
【００１０】
また、本発明に係る幾つかの態様は、情報提供装置における情報の提供方法であって、１つのアイテムに対して、アイテムに関連する第１の位置情報を示す第１のスポット情報と、アイテムに関連する第２の位置情報を示す第２のスポット情報とを、アイテムに関連付けて記憶する記憶ステップと、端末装置から受信した端末装置の位置情報と、第１のスポット情報とが、所定の関係を満たすか否かを判断し、所定の関係を満たす場合には、端末装置にアイテムに関連する情報を通知する通知ステップと、を備え、通知ステップは、さらに、端末装置から受信した端末装置の位置情報と、第２のスポット情報とが、所定の関係を満たすか否かを判断し、所定の関係を満たす場合には、端末装置にアイテムに関連する情報を通知することを特徴とする。
【００１１】
本発明に係る他の幾つかの態様は、情報提供装置における情報の提供方法であって、アイテムを記憶する第１の記憶ステップであって、前記アイテムは、当該アイテムに関連する一又は複数の位置情報を示すスポット情報を含む、第１の記憶ステップと、記憶されたアイテムの中から、ユーザがお気に入りとして登録したアイテムをお気に入りリストに記憶する第２の記憶ステップと、端末装置から受信した端末装置の位置情報に基づいてお気に入りリストを検索し、端末装置を保有するユーザがお気に入りとして登録したアイテムであり、かつ、位置情報とアイテムに含まれるスポット情報のうちの少なくとも１つとが所定の関係を満たすアイテムが存在する場合に、当該アイテムに関連する情報を端末装置に通知する通知ステップと、を備える。
【発明の効果】
【００１２】
本発明によれば、情報提供者及びユーザの双方にとって利便性の高い、位置情報を用いた情報提供装置を提供できるという優れた効果を奏し得る。
【図面の簡単な説明】
【００１３】
【図１】本発明の一実施形態に係る情報提供システム１の全体構成を示す概略図である。
【図２】本実施形態におけるサーバ装置１０の機能構成を示すブロック図である。
【図３】本実施形態における端末装置２０の機能構成を示すブロック図である。
【図４】本実施形態において、サーバ装置１０の記憶部１５に記憶されるアイテム及びスポットグループのデータ構造の一例を示す図である。
【図５】本実施形態において、サーバ装置１０の記憶部１５に記憶されるお気に入りリスト５０のデータ構造の一例を示す図である。
【図６】本実施形態におけるアイテム登録処理の流れを示すタイミングチャートである。
【図７】本実施形態におけるアイテム閲覧処理の流れを示すタイミングチャートである。
【図８】本実施形態におけるお気に入りリスト５０への登録処理の流れを示すタイミングチャートである。
【図９】本実施形態の情報提供処理の流れを示すタイミングチャートである。
【図１０】本実施形態において、ディスプレイ２６上に表示されるアイテムに関する情報の一例を示す。
【発明を実施するための形態】
【００１４】
以下、本発明の実施の形態について図面を参照しつつ詳細に説明する。なお、同一の要素には同一の符号を付し、重複する説明を省略する。また、以下の実施の形態は、本発明を説明するための例示であり、本発明をその実施の形態のみに限定する趣旨ではない。さらに、本発明は、その要旨を逸脱しない限り、さまざまな変形が可能である。
【００１５】
図１は、本発明の一実施形態に係る情報提供システム１の全体構成を示す概略図である。情報提供システム１は、サーバ装置１０と、端末装置２０−ｋ（ｋ≧１）とを備え、サーバ装置１０と端末装置２０とが、ネットワークＮを介して通信可能に構成される。なお、サーバ装置１０と通信可能な端末装置２０の数は、任意であるものとする。また、本明細書等において、各端末装置を特に区別する必要がない場合には、単に端末装置２０と呼ぶ。
【００１６】
サーバ装置１０は、サーバ・コンピュータなどの情報処理装置によって構成され、記憶部１５内のデータベースに格納されるアイテムを管理する機能、及び、端末装置２０にアイテムに関する情報を提供する機能などを備える。
【００１７】
サーバ装置１０は、主なハードウェア構成として、プロセッサ１１、通信部１４、記憶部１５などを備え、プロセッサ１１は、ＣＰＵ（Central Processing Unit）１２及びメモリ１３などを備えて構成される。プロセッサ１１は、記憶部１５等に記憶されたプログラムをメモリ１３に展開して実行することにより、サーバ装置１０が備える各ハードウェア資源の動作を制御し、サーバ装置１０における各種処理ないし機能を提供する。プロセッサ１１において実現される機能等の詳細は後述する。
【００１８】
通信部１４は、ネットワークＮを介して端末装置２０に対してデータを送受信するための通信インタフェースである。記憶部１５は、ハードディスク等の記憶装置によって構成される。記憶部１５は、サーバ装置１０のプロセッサ１１における処理の実行に必要な各種プログラムや各種の情報を記憶する。本実施形態では、アイテム、スポットグループ及びお気に入りリストが記憶部１５に記憶される。なお、サーバ装置１０は、単一の情報処理装置より構成されるものであっても、ネットワークＮ上に分散した複数の情報処理装置より構成されるものであってもよい。
【００１９】
ネットワークＮは、サーバ装置１０及び端末装置２０が相互に情報を送受信するための通信回線である。ネットワークＮは、例えば、インターネット、Ｗｉｆｉ、ＬＡＮ、専用線、パケット通信網、電話回線、企業内ネットワーク、その他の通信回線、それらの組み合わせ等のいずれであってもよく、有線であるか無線であるかを問わない。
【００２０】
端末装置２０は、ネットワークＮを介してサーバ装置１０にアクセス可能な装置であり、好適には、電子メール機能やメッセンジャー機能を備えた携帯電話機、スマートフォン、タブレット端末、ＰＨＳ（Personal Handyphone System）、ＰＤＡ（Personal Digital Assistance）、ノートパソコン、その他の携帯端末により構成される。しかしながら、端末装置２０は、パーソナルコンピュータなど、他の情報処理端末によって構成されても良い。
【００２１】
端末装置２０は、主なハードウェア構成として、プロセッサ２１、通信部２４、記憶部２５、ディスプレイ２６、及び操作部２７などを備え、プロセッサ２１は、ＣＰＵ２２及びメモリ２３などを備えて構成される。プロセッサ２１は、記憶部２５等に記憶されたプログラムをメモリ２３に展開して実行することにより、端末装置２０が備える各ハードウェア資源の動作を制御し、端末装置２０における各種処理ないし機能を実現する。プロセッサ２１において実行される機能等の詳細は後述する。
【００２２】
通信部２４は、ネットワークＮを介してサーバ装置１０にアクセスするための通信インタフェースである。また、通信部２４は、図示しないＷｉｆｉ（wireless fidelity）ステーション、基地局、ＧＰＳ衛星等から、測位処理に必要な信号を受信する。記憶部２５は、ハードディスク等の記憶装置によって構成され、プロセッサ２１における処理の実行に必要な各種プログラムや各種の情報を記憶する。ディスプレイ２６は、例えば、液晶や有機ＥＬ等によって構成される表示装置である。操作部２７は、ユーザからの端末装置２０に対する操作を受け付けるためのタッチパネルや操作ボタンなどの入力インタフェースである。
【００２３】
図２は、本実施形態におけるサーバ装置１０の機能構成を示すブロック図である。サーバ装置１０は、当該装置を構成する各ハードウェア資源がメモリ１３に格納されたソフトウェアと協働して動作することにより、以下に示す各機能を実現する。
【００２４】
アイテム登録部１０１は、新規アイテムを記憶部１５内のデータベースに登録する機能を備える。より詳細には、端末装置２０から、新規アイテムのスポット情報を含む情報を受信すると、受信した情報にアイテムＩＤを付与して、記憶部１５内のデータベースに登録する。また、端末装置２０からの指示に応じて、登録されているアイテムの内容を修正する機能も備える。アイテム登録部１０１は、１つのアイテムに対して、複数のスポット情報をグループ化したスポットグループを登録することができる。
【００２５】
なお、本明細書等において、アイテムとは、ユーザに提供される一つ一つコンテンツを指すものであり、より具体的には、個人（一般のユーザを含む）又は団体（企業、ショップ、飲食店等）などにより、ある場所で気に入ったもの又は宣伝したいもの等として登録される情報である。各アイテムは、アイテムの対象の位置情報（スポット情報）と、当該アイテムのタイトル、説明及び画像などアイテムに付随する情報とが紐付けられて登録されている。アイテムの情報は、端末装置２０又は図示されていない他の情報処理装置等を介してサーバ装置１０の記憶部１５に登録される。
【００２６】
アイテム抽出部１０２は、記憶部１５に記憶されているアイテムを検索し、閲覧指示に応じたアイテムを抽出する機能を備える。
【００２７】
お気に入り登録部１０３は、お気に入りリスト５０を管理する機能を備える。例えば、端末装置２０から受信した情報に基づいて、所定のアイテムを対応するユーザのお気に入りリストに追加したり、修正したりする。
【００２８】
お知らせ通知部１０４は、ユーザがお気に入りのアイテムの対象の近くを通ったときなどに、当該ユーザの端末装置２０に対して、その旨のお知らせなどの情報を通知する機能を備える。
【００２９】
図３は、本実施形態における端末装置２０の機能構成を示すブロック図である。端末装置２０は、当該装置を構成する各ハードウェア資源がメモリ２３に格納されたソフトウェアと協働して動作することにより、以下に示す各機能を実現する。
【００３０】
アイテム投稿部２０１は、ユーザからの入力を受け付けて、新規に登録しようとするアイテムのスポット情報を含む情報を作成し、サーバ装置１０に送信する機能を備える。アイテム投稿部２０１は、アイテムのスポット情報を設定する際に、複数のスポット情報をグループ化したスポットグループを選択することができる。
【００３１】
閲覧指示部２０２は、ユーザがアイテムを閲覧する際に、アイテムの検索条件やリンクなどの指示入力をユーザから受け付けて、入力された情報をサーバ装置１０に送信する機能を備える。
【００３２】
現在位置取得部２０３は、図示しないＷｉｆｉステーション、基地局、ＧＰＳ衛星等から受信した信号に基づいて測位処理を行い、端末装置２０の現在の位置情報（以下「端末位置情報」という。）を取得する機能を備える。また、現在位置取得部２０３は、端末装置２０が異なるエリアに移動したことを検知したときに、検知した端末位置情報と端末ＩＤとをサーバ装置１０に送信する機能を備える。
【００３３】
アイテム表示制御部２０４は、取得したアイテムの情報をディスプレイ２６の所定の領域に表示する。多数のアイテムについての情報が取得され、全ての情報を一度に表示できない場合、アイテム表示制御部２０４は、その一部のアイテムについての情報を表示する。
【００３４】
お気に入り指示部２０５は、ユーザが所定のアイテムを当該ユーザのお気に入りリストに入れることを指示するための機能を備える。
【００３５】
お知らせ表示制御部２０６は、サーバ装置１０のお知らせ通知部１０４からメッセージを受信したとき、当該メッセージに基づくお知らせを、端末装置２０のディスプレイ２６上に表示する機能を備える。
【００３６】
図４は、本実施形態において、サーバ装置１０の記憶部１５に記憶されるアイテム及びスポットグループのデータ構造の一例を示す図である。図４（Ａ）は、記憶部１５に記憶されるアイテム記憶部のテーブルの一例を示すものであり、図４（Ｂ）は、スポットグループのテーブルの一例を示すものである。
【００３７】
図４（Ａ）に示すように、各アイテムは、アイテムを識別するためのアイテムＩＤ４１と、アイテムの対象の位置を示すスポット情報４２と、アイテムのタイトル４３と、アイテムの説明（詳細な情報やユーザのコメント等）４４と、アイテムに関連する画像４５などの情報が対応付けて記憶されている。なお、各アイテムが備えるデータはこれらに限定されず、例えば、アイテムの有効期間に関する情報など、他の任意の情報を備えるものとしてもよい。
【００３８】
アイテムＩＤ４１は、情報提供システム１内で各アイテムを一意に識別するための識別子である。ユーザによって端末装置２０からアイテムが新規に登録されると、サーバ装置１０側で自動的にアイテムＩＤが付与される。より詳細には、ユーザが、端末装置２０から、新規アイテムのスポット情報４２、タイトル４３、説明４４及び画像４５を含むアイテム情報を投稿すると、サーバ装置１０のアイテム登録部１０１は、投稿されたアイテム情報に対してアイテムＩＤを付与して、これらを対応付けて記憶部１５に登録する。
【００３９】
スポット情報４２は、各アイテムに関連する場所（スポット）に関する情報（スポット情報）である。本実施形態において、スポット情報は、店舗の住所または緯度経度等の位置情報を含む。しかし、スポット情報はこれに限定されず、店舗の名称等の情報も含み得る。例えば、アイテムが商品に関するものであれば、当該商品が販売されている店舗の位置情報がスポット情報４２として登録される。
【００４０】
本実施形態においては、各アイテムに、単一のスポット、或いは、複数のスポットを紐付けることができるようになっている。アイテムに単一のスポットを紐付ける場合、スポット情報４２に、単一のスポット情報が設定される。例えば、図４（Ａ）に示す例では、「Ｒヒルズのビール」というタイトルが付されたアイテム４０１（アイテムＩＤが「Ｉ００１」のアイテム）に、単一のスポットの情報「（ｘｘｘｘｘ０，ｙｙｙｙｙ０）」が対応付けられている。
【００４１】
一方、アイテムに複数のスポットを紐付ける場合、スポット情報４２に、スポットグループが設定される。ここで、スポットグループとは、複数のスポット情報を束ねてグループ化したものであり、プリセットの情報として予め登録された形のデータである。
【００４２】
図４（Ｂ）は、本実施形態におけるスポットグループの一例を示す図である。グループＩＤ４２１は、スポットグループを一意に識別するための識別子である。グループ名４２２は、スポットグループの名称である。スポット情報群４２３は、スポットグループに含まれる複数のスポットを含む。例えば、渋谷・新宿・銀座の３ヶ所に店舗があるチェーン店「Ｓバックス」の場合、Ｓバックスというグループ名のスポットグループ４２１１に対して、渋谷店のスポット情報、新宿店のスポット情報、及び銀座店のスポット情報というように、３つのスポット情報をまとめてグループ化できるようになっている。このように、Ｓバックスという名称のスポットグループは、Ｓバックスの複数の店舗のスポット情報が紐付いた状態のデータになっている。なお、スポットグループが新規に登録される際、登録者によって、登録されるスポットグループの名称と当該スポットグループに含まれる複数のスポット情報とが入力されると、サーバ装置１０によって、グループＩＤが自動的に付与され、これらが記憶部１５に登録される。
【００４３】
図４（Ａ）に示す例では、「Ｓのラテ」というタイトルが付されたアイテム４０４（アイテムＩＤが「Ｉ００４」のアイテム）に、スポットグループ「Ｓバックス」のグループＩＤ「ＳＧ０１」が対応付けられている。ここで、図４（Ｂ）を参照すると、グループＩＤ「ＳＧ０１」によって識別されるスポットグループ４２１１は、グループ名が「Ｓバックス」であり、複数のスポット情報「（ｘｘｘｘｘ１，ｙｙｙｙｙ１）」、「（ｘｘｘｘｘ２，ｙｙｙｙｙ２）」及び「（ｘｘｘｘｘ３，ｙｙｙｙｙ３）」が対応付けられている。
【００４４】
以上のように、本実施形態では、複数のスポット情報をグループ化した形で予めデータを作成しておき、アイテムを新規に登録する際、アイテムに複数のスポット情報を紐付けたい場合には、スポットグループを選択することができる。この場合、商品ごと（例えば、ラテ、カプチーノなど）にアイテムを登録する際、複数のスポット情報をいちいち個別に設定するのではなく、プリセットのスポットグループを選ぶだけでよい。
【００４５】
なお、本実施形態は、チェーン店以外にも適用可能であることは言うまでもない。例えば、海水浴場に関するスポットグループに対して、九十九里浜と江ノ島など、複数の海水浴場のスポット情報をまとめて登録してもよい。このように、１つのグループに対して複数のスポット情報をまとめて登録できるようにしたことによって、１つ１つの場所（店舗等）にアイテムを結びつけるのではなく、より上位化された１つの概念にアイテムを結びつけることが可能となる。
【００４６】
図５は、本実施形態において、サーバ装置１０の記憶部１５に記憶されるお気に入りリスト５０のデータ構造の一例を示す図である。同図に示すように、お気に入りリスト５０は、ユーザを識別するためのユーザＩＤ５１と、ユーザが保有する端末装置２０を識別するための端末ＩＤ５２と、各ユーザがお気に入りリストに登録したお気に入りアイテム５３とが対応付けて記憶されている。同図に示す例では、ユーザＩＤが「Ｕ０１」のユーザ５０１は、端末ＩＤが「ＴＴ１」の端末装置２０を保有し、また、アイテムＩＤが「Ｉ００１」と「Ｉ００４」のアイテムを、お気に入りとして記憶している。すなわち、図４と併せて参照することにより、ユーザ５０１は、「Ｒヒルズのビール」に関するアイテム４０１と、「Ｓのラテ」に関するアイテム４０４を、お気に入りリストに入れていることが分かる。
【００４７】
以下、本実施形態におけるアイテム登録処理や情報提供処理の流れを具体的に説明する。
【００４８】
図６は、本実施形態におけるアイテム登録処理の流れを示すタイミングチャートである。同図に示すように、ユーザは、端末装置２０から、サーバ装置１０の記憶部１５にアイテムを新規に登録することができる。
【００４９】
まず、端末装置２０のアイテム投稿部２０１が、ユーザから新規に登録しようとするアイテムの情報を受け付ける（Ｓ６１）。このとき、ユーザは操作部２７を介して、新規アイテムのスポット情報を含む情報を入力する。アイテム投稿部２０１は、入力されたスポット情報を含む情報をサーバ装置１０に送信する（Ｓ６２）。
【００５０】
サーバ装置１０は、端末装置２０から新規アイテムの情報を受信すると、アイテム登録部１０１が当該新規アイテムに対してアイテムＩＤを付与する（Ｓ６３）。そして、アイテム登録部１０１は、付与されたアイテムＩＤと、端末装置２０から受信した新規アイテムのスポット情報を含む情報とを対応付けて、記憶部１５に新規アイテムを登録する（Ｓ６４）。
【００５１】
図７は、本実施形態におけるアイテム閲覧処理の流れを示すタイミングチャートである。同図に示すように、ユーザは、端末装置２０からサーバ装置１０にアクセスして、記憶部１５に記憶されているアイテムを閲覧することができる。
【００５２】
まず、端末装置２０の閲覧指示部２０２は、ユーザからアイテムの閲覧に関する指示入力を受け付けて、サーバ装置１０に送信する（Ｓ７１）。例えば、ユーザは操作部２７を介して、閲覧したいアイテムに関して、興味のある場所やカテゴリなどのキーワードを含む検索条件を入力する。場所の情報は、現在位置取得部２０３によって取得された、ユーザの現在の位置情報を利用してもよい。また、検索条件を入力する代わりに、端末装置２０のディスプレイ２６上に表示されるリンクをタップするなどして、所望するアイテムの閲覧を指示してもよい。また、ユーザが自分で登録したアイテムのみを取得するように絞り込むことを指示することもできる。
【００５３】
サーバ装置１０は、端末装置２０からアイテムの閲覧指示に関する情報を受信すると、アイテム抽出部１０２が、当該閲覧指示に基づいて、記憶部１５からアイテムを抽出し、抽出されたアイテムの情報を端末装置２０に送信する（Ｓ７２）。例えば、閲覧指示として、場所や現在位置に関する検索条件が入力された場合には、アイテムのスポット情報と照合して、所定の条件を満たすアイテムを抽出する。
【００５４】
端末装置２０は、サーバ装置１０からアイテムの情報を受信すると、アイテム表示制御部２０４の制御によって、受信したアイテムに関する情報をディスプレイ２６上に表示する（Ｓ７３）。なお、図１０に、ディスプレイ２６上に表示されるアイテムに関する情報の一例を示す。
【００５５】
図８は、本実施形態におけるお気に入りリスト５０への登録処理の流れを示すタイミングチャートである。同図に示すように、ユーザは、気になるアイテムや興味有るアイテムを見つけた場合に、当該アイテムを当該ユーザのお気に入りリストに入れることができる。
【００５６】
まず、端末装置２０のお気に入り指示部２０５は、閲覧中のアイテムをお気に入りリストに入れる指示入力をユーザから受け付ける（Ｓ８１）。例えば、図１０に示すように、アイテムの情報がディスプレイ２６上に表示される際、お気に入りリストに入れることを指示するためのボタン２７１も表示させておく。これにより、ユーザは、当該ボタン２７１のタップによって、閲覧中のアイテムをお気に入りリストに入れることを指示することができる。
【００５７】
ユーザによる指示が入力されると、お気に入り指示部２０５は、当該閲覧中のアイテムのアイテムＩＤと端末装置２０の端末ＩＤとを含むお気に入り登録要求を、サーバ装置１０に送信する（Ｓ８２）。サーバ装置１０のお気に入り登録部１０３は、受信したお気に入り登録要求に基づいて、記憶部１５に記憶されているユーザのお気に入りリストを更新する。
【００５８】
例えば、ユーザＩＤが「Ｕ０２」のユーザ５０２が、「Ｓのラテ」に関するアイテム４０４をお気に入りリストに入れることを指示した場合、お気に入り指示部２０５は、ユーザ５０２に対応する端末装置の端末ＩＤ「ＴＴ２」と、アイテム４０４のアイテムＩＤ「Ｉ００４」を含むお気に入り登録要求を作成してサーバ装置１０に送信する。サーバ装置１０側では、お気に入り登録部１０３が、お気に入り登録要求に含まれる端末ＩＤ「ＴＴ２」とアイテムＩＤ「Ｉ００４」に基づいて、ユーザ５０２のお気に入りリストに、アイテムＩＤ「Ｉ００４」を追加する。
【００５９】
なお、各ユーザは、複数のお気に入りリストを作成できるようにしてもよい。これにより、例えば、レストランに関するお気に入りリストと雑貨に関するお気に入りリストを分けて管理するといった使い方ができる。
【００６０】
図９は、本実施形態の情報提供処理の流れを示すタイミングチャートである。同図に示すように、ユーザのお気に入りリストに登録されているアイテムに関連付けられたスポット情報によって示された場所の近くをユーザが通ったときに、当該アイテムの対象が近くにあることを示すための通知が、ユーザの端末装置２０にポップアップ表示される。例えば、図４及び図５に示すように、ユーザＩＤ「Ｕ０１」のユーザが、アイテムＩＤ「Ｉ００１」のアイテム、すなわち「Ｒヒルズのビール」に関するアイテム４０１をお気に入りリストに登録していた場合に、当該ユーザが「Ｒヒルズのビール」に紐付けられたスポットの近くに来たとき、ユーザの端末装置２０にリマインダをポップアップ表示することによって、「Ｒヒルズのビール」に紐付けられたスポットが近くにある旨のお知らせをユーザに通知する。
【００６１】
本実施形態においては、スポット情報としてスポットグループが紐付けられたアイテム（例えば、スポット情報として、「Ｓバックス」に関するスポットグループ４２１１のグループＩＤ「ＳＧ０１」が紐付けられたアイテム４０４）をユーザがお気に入りリストに入れていた場合、当該スポットグループに含まれる複数のスポット情報のいずれかによって示される位置に端末装置２０が近づくと、端末装置２０にお知らせがポップアップ表示される。すなわち、「Ｓのラテ」に関するアイテム４０４をお気に入りリストに登録しているユーザであれば、渋谷店の近くにいるときにお知らせが通知されるのみならず、ユーザが新宿に移動して新宿店に近づけばお知らせが通知されるし、また、銀座に移動して銀座店に近づけばやはりお知らせが通知される。
【００６２】
このような処理は、例えば以下のようにして実現される。まず、端末装置２０の現在位置取得部２０３は、端末装置２０が異なるエリアに移動したことを検知したときに、検知した端末位置情報と端末ＩＤとをサーバ装置１０に送信する（Ｓ９１）。なお、端末装置２０が異なるエリアに移動したか否かは、例えば、異なる基地局のエリアに入ったか否かによって検知できる。また、ある時点において取得された端末装置２０の位置情報から所定距離移動したか否かによって検知してもよい。また、異なるエリアに移動したことを検知する代わりに、定期または不定期に端末位置情報と端末ＩＤとをサーバ装置１０に送信するものとしてもよい。
【００６３】
サーバ装置１０のお知らせ通知部１０４は、端末装置２０から端末位置情報と端末ＩＤを受信すると、まず、端末ＩＤに基づいてお気に入りリスト５０を検索し、当該ユーザのお気に入りリストに登録されているアイテムを抽出する（Ｓ９２）。そして、お気に入りリストに登録されている各アイテムのスポット情報と、受信した端末位置情報とを比較して、両者が所定の関係（例えば、距離が５００ｍ以内、最寄り駅が同じ、など）を満たしているか否かを判断する（Ｓ９３）。スポット情報としてスポットグループが登録されているアイテムの場合には、スポットグループに含まれる複数のスポット情報のそれぞれについて端末位置情報と照合し、所定の関係を満たしているものが存在するか否かを判断する。
【００６４】
照合の結果、所定の関係を満たすアイテムが存在すれば、お気に入りのアイテムが近くにあること等を通知するメッセージを、端末装置２０に送信する（Ｓ９４）。端末装置２０のお知らせ表示制御部２０６は、メッセージを受信すると、当該メッセージに基づいて、お知らせをディスプレイ２６上にポップアップ表示する（Ｓ９５）。このとき、お知らせ通知は、端末装置２０が備える電子メールやメッセージ交換アプリの機能を利用してもよい。また、端末装置２０がスリープ状態の場合でも、少なくとも一時的にディスプレイ２６上にお知らせをポップアップ表示することが好ましい。なお、ステップＳ９３において、所定の条件を満たすアイテムが存在しなければ、ステップＳ９４以降の処理は行われない。
【００６５】
なお、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述の各処理ステップは処理内容に矛盾を生じない範囲で任意に順番を変更して又は並列に実行することができる。
【００６６】
例えば、上記実施形態においては、情報提供処理において、端末装置２０の現在位置取得部２０３が、端末位置情報をサーバ装置１０に送信する際に、端末装置２０を識別する端末ＩＤとともに送信することとして説明したが、端末ＩＤの代わりに、端末装置２０のユーザを識別するユーザＩＤを送信することとしてもよい。要は、端末装置２０から送信された位置情報が、どのユーザが保有する端末装置２０に関連するものであるかを識別可能な情報を送ればよいのであり、ユーザの電話番号や電子メールアドレス等を適用してもよい。
【００６７】
また、上記実施形態においては、情報提供処理において、お気に入りアイテムの対象が近くにある場合に、その旨を通知するお知らせを端末装置２０に表示させるものとしたが、お気に入りアイテムの対象が近くにある場合に、当該アイテムの対象に関する説明、広告、キャンペーン、クーポン、若しくは、任意のテキスト、音声、画像等の情報、又はこれらの組み合わせ等を端末装置２０に提供してもよい。
【００６８】
情報提供の通知を行うタイミングとして、お気に入りリストに登録されてから所定の時間（例えば、１日）が経過したときとすることができる。さらに、アイテムの内容に応じて複数のアイテムを予め関連付けておき、あるアイテム（第１のアイテム）をお気に入りリストに入れたユーザの端末装置２０が、第１のアイテムに関連付けられた他のアイテム（第２のアイテム）に関する情報をサーバ装置１０に対して要求したときに、第１のアイテムに関する情報を端末装置２０に通知することができる。このようにあるアイテムに予め関連付けられた他のアイテムに関する情報が要求されたときを、当該あるアイテムに関する通知のタイミングとすることによって、効果的な通知（例えば、広告）をより広い範囲に行うことができる。
【符号の説明】
【００６９】
１  情報提供システム、１０  サーバ装置（情報提供装置）、１１  プロセッサ、１２  ＣＰＵ、１３  メモリ、１４  通信部、１５  記憶部、１０１  アイテム登録部、１０２  アイテム抽出部、１０３  お気に入り登録部、１０４  お知らせ通知部（通知部）、２０  端末装置、２１  プロセッサ、２２  ＣＰＵ、２３  メモリ、２４  通信部、２５  記憶部、２６  ディスプレイ、２７  操作部、２０１  アイテム投稿部、２０２  閲覧指示部、２０３  現在位置取得部、２０４  アイテム表示制御部、２０５  お気に入り指示部、２０６  お知らせ表示制御部、２７１  ボタン、４１  アイテムＩＤ、４２  スポット情報、４２１  グループＩＤ、４２２  グループ名、４２３  スポット情報群、４３  アイテムのタイトル、４４  アイテムの説明、４５  アイテムの画像、５０  お気に入りリスト。
【図１】
2014157420.tif 000003
【図２】
2014157420.tif 000004
【図３】
2014157420.tif 000005
【図４】
2014157420.tif 000006
【図５】
2014157420.tif 000007
【図６】
2014157420.tif 000008
【図７】
2014157420.tif 000009
【図８】
2014157420.tif 000010
【図９】
2014157420.tif 000011
【図１０】
2014157420.tif 000012